(57)【要約】【課題】再生される映像を好適に鑑賞することができる電子機器及び映像再生装置を実現する。【解決手段】ノート型パソコン１０においてＤＶＤを再生し、その再生された映像をモニタ２に表示して鑑賞する際に、モニタ２に表示される映像を視認しやすい角度に蓋体１２を回動させて調節した状態でその蓋体１２をロック機構５により固定することによって、モニタ２における映像表示を見やすい状態を維持するとともに、そのロック機構５により装置本体１１に対する蓋体１２の固定を行うことによって、ＤＶＤ再生に関する操作入力のみを受け付けるように操作入力制限が実行されるので、このノート型パソコン１０において再生映像を鑑賞している際に、ユーザが誤った操作を行うことがあっても映像表示画面が他の画面に切り替わってしまうようなことがなくなり、ユーザが快適に所望する映像を鑑賞することができるようにした。【選択図】図１
2008198056.tif 000002
【特許請求の範囲】
【請求項１】
所定の記録媒体の再生を行う再生部を備える装置本体と、前記再生部により再生された映像を表示する表示部を備える蓋体とが連結部により回動可能に連結された映像再生装置において、
前記表示部における表示を視認しやすいように、所望する角度まで回動させた前記蓋体をその配置に固定するためのロック機構と、
前記ロック機構による前記蓋体の固定が行われた場合に、前記再生部の操作に関する入力のみを受け付けるように、当該映像表示装置における操作入力制限を実行する操作入力制御手段と、を備え、
前記ロック機構が有する２つのロック操作部における、一方のロック操作部のみによって前記蓋体の固定が行われた場合には、前記操作入力制御手段による操作入力制限は行わず、両方のロック操作部によって前記蓋体の固定が行われた場合に、前記操作入力制御手段による操作入力制限を実行することを特徴とする映像再生装置。
【請求項２】
所定の記録媒体の再生を行う再生部を備える装置本体と、前記再生部により再生された映像を表示する表示部を備える蓋体とが回動可能に連結された電子機器において、
前記表示部における表示を視認しやすいように、所望する角度まで回動させた前記蓋体をその配置に固定するためのロック機構と、
前記ロック機構による前記蓋体の固定が行われた場合に、前記再生部の操作に関する入力のみを受け付けるように、当該電子機器における操作入力制限を実行する操作入力制御手段と、
を備えることを特徴とする電子機器。
【請求項３】
前記ロック機構は、２つのロック操作部を備え、
一方のロック操作部のみによって、前記蓋体の固定が行われた場合には、前記操作入力制御手段による操作入力制限は行わず、
両方のロック操作部によって、前記蓋体の固定が行われた場合に、前記操作入力制御手段による操作入力制限を実行することを特徴とする請求項２に記載の電子機器。
【発明の詳細な説明】
【技術分野】
【０００１】
本発明は、電子機器及び映像再生装置に関する。
【背景技術】
【０００２】
近年、キーボードが設けられたパソコン本体に、液晶表示画面が設けられた蓋体が折り重ね可能に備えられるノート型パソコンが使用されており、そのノート型パソコンの蓋体を開き、その蓋体を所望する角度まで回動させることで、液晶表示画面を見やすい角度に調整することが可能になっている。
そして、ユーザが所望する液晶表示画面の角度に調整した状態で、硬質ゴム部材を蓋体に圧接させることにより蓋体の回動をロックして、液晶表示画面の角度を維持する技術が知られている（例えば、特許文献１参照。）。
【０００３】
一方、ポケットやハンドバック内に入れた携帯型電子機器の操作キーが何かに接触したはずみでキー入力が行われてしまう誤入力を防止する技術が知られている（例えば、特許文献２参照。）。
【特許文献１】特開２００４−１６４５２８号公報
【特許文献２】特開２００４−１２６７５２号公報
【発明の開示】
【発明が解決しようとする課題】
【０００４】
しかしながら、上記ノート型パソコンにおいて、ＤＶＤ（Digital Versatile Disc）などを再生して映画などのコンテンツを視聴している際にキーボードやマウスに触れてしまい、誤操作を行ってしまったために画面が切り替わってしまうなどし、その鑑賞が妨げられてしまうことがあるという問題があった。
また、そのノート型パソコンに、上記特許文献２の技術を適用したとしても、ユーザの指による誤入力は受け付けられてしまうので、問題を解決するには至らなかった。
【０００５】
本発明の目的は、再生される映像を好適に鑑賞することができる電子機器及び映像再生装置を提供することである。
【課題を解決するための手段】
【０００６】
以上の課題を解決するため、請求項１に記載の発明は、
所定の記録媒体の再生を行う再生部を備える装置本体と、前記再生部により再生された映像を表示する表示部を備える蓋体とが連結部により回動可能に連結された映像再生装置において、
前記表示部における表示を視認しやすいように、所望する角度まで回動させた前記蓋体をその配置に固定するためのロック機構と、
前記ロック機構による前記蓋体の固定が行われた場合に、前記再生部の操作に関する入力のみを受け付けるように、当該映像表示装置における操作入力制限を実行する操作入力制御手段と、を備え、
前記ロック機構が有する２つのロック操作部における、一方のロック操作部のみによって前記蓋体の固定が行われた場合には、前記操作入力制御手段による操作入力制限は行わず、両方のロック操作部によって前記蓋体の固定が行われた場合に、前記操作入力制御手段による操作入力制限を実行することを特徴とする。
【０００７】
請求項２に記載の発明は、
所定の記録媒体の再生を行う再生部を備える装置本体と、前記再生部により再生された映像を表示する表示部を備える蓋体とが回動可能に連結された電子機器において、
前記表示部における表示を視認しやすいように、所望する角度まで回動させた前記蓋体をその配置に固定するためのロック機構と、
前記ロック機構による前記蓋体の固定が行われた場合に、前記再生部の操作に関する入力のみを受け付けるように、当該電子機器における操作入力制限を実行する操作入力制御手段と、を備えることを特徴とする。
【０００８】
請求項３に記載の発明は、請求項２に記載の電子機器において、
前記ロック機構は、２つのロック操作部を備え、
一方のロック操作部のみによって、前記蓋体の固定が行われた場合には、前記操作入力制御手段による操作入力制限は行わず、
両方のロック操作部によって、前記蓋体の固定が行われた場合に、前記操作入力制御手段による操作入力制限を実行することを特徴とする。
【発明の効果】
【０００９】
請求項１に記載の発明によれば、映像表示装置における再生部でＤＶＤなどの記録媒体を再生し、その再生された映像を表示部に表示して鑑賞する際に、表示部に表示される映像を視認しやすい角度に蓋体を回動させて調節した状態で、その蓋体をロック機構により固定することができるので、表示部における映像表示を視認しやすい状態を維持して、その再生される映像を好適に鑑賞することができる。
特に、映像表示装置のロック機構における２つのロック操作部によって、装置本体に対する蓋体の固定を行うことにより、再生部の操作に関する入力のみを受け付けるように、映像表示装置における操作入力制限が実行されるので、この映像表示装置において再生映像を鑑賞している際に、ユーザが誤った操作を行うことがあっても、例えば、映像表示画面が他の画面に切り替わってしまうようなことがなくなり、ユーザは快適に所望する映像を鑑賞することができる。
【００１０】
また、映像表示装置における２つのロック操作部を備えるロック機構において、一方のロック操作部のみによって蓋体の固定が行われた場合には、その蓋体の固定のみを行って操作入力制御手段による操作入力制限は行わず、両方のロック操作部によって蓋体の固定が行われた場合に、その蓋体の固定とともに操作入力制御手段による操作入力制限を実行することが可能になっている。
つまり、映像表示装置において表示部に表示される映像を見やすい角度に蓋体が固定されているものの映像表示装置における各種操作入力を行うことが可能な状態と、映像表示装置において表示部に表示される映像を見やすい角度に蓋体が固定されているとともに操作入力制限が実行された映像表示装置において再生部に関する操作入力のみを行うことが可能な状態と、に切り替えて使用することができる。
【００１１】
請求項２に記載の発明によれば、電子機器における再生部でＤＶＤなどの記録媒体を再生し、その再生された映像を表示部に表示して鑑賞する際に、表示部に表示される映像を視認しやすい角度に蓋体を回動させて調節した状態で、その蓋体をロック機構により固定することができるので、表示部における映像表示を視認しやすい状態を維持して、その再生される映像を好適に鑑賞することができる。
特に、電子機器におけるロック機構により、装置本体に対する蓋体の固定を行うことによって、再生部の操作に関する入力のみを受け付けるように、電子機器における操作入力制限が実行されるので、この電子機器において再生映像を鑑賞している際に、ユーザが誤った操作を行うことがあっても、例えば、映像表示画面が他の画面に切り替わってしまうようなことがなくなり、ユーザは快適に所望する映像を鑑賞することができる。
【００１２】
請求項３に記載の発明によれば、請求項２に記載の発明と同様の効果が得られることは無論のこと、電子機器におけるロック機構は２つのロック操作部を備えており、一方のロック操作部のみによって蓋体の固定が行われた場合には、その蓋体の固定のみを行って操作入力制御手段による操作入力制限は行わず、両方のロック操作部によって蓋体の固定が行われた場合に、その蓋体の固定とともに操作入力制御手段による操作入力制限を実行することが可能になっている。
つまり、電子機器において表示部に表示される映像を見やすい角度に蓋体が調節されて固定されているものの電子機器における各種操作入力を行うことが可能な状態と、電子機器において表示部に表示される映像を見やすい角度に蓋体が調節されて固定されているとともに操作入力制限が実行された電子機器において再生部に関する操作入力のみを行うことが可能な状態と、に切り替えて使用することができる。
【発明を実施するための最良の形態】
【００１３】
以下、図を参照して本発明に係る電子機器及び映像再生装置の実施形態を詳細に説明する。なお、発明の範囲は、図示例に限定されない。
本実施の形態では、電子機器及び映像再生装置としてノート型パソコンを例示して説明することとする。
【００１４】
ノート型パソコン１０は、図１、図２に示すように、所定の記録媒体であるＤＶＤの再生を行う再生部としてのディスクドライブ１を備える装置本体１１と、ディスクドライブ１により再生された映像を表示する表示部であるモニタ２を備える蓋体１２とが、連結部１３を介して回動可能に連結されて構成されている。
また、装置本体１１には、文字や記号などの入力を行うためのキーボード３やマウス４が備えられている。
また、連結部１３には、装置本体１１に対して所望する角度まで回動させた蓋体１２をその配置に固定するためのロック機構５が備えられている。
なお、ノート型パソコン１０は、装置各部を制御するための制御部６を、装置本体１１（又は蓋部１２）に備えている。
【００１５】
このノート型パソコン１０は、装置本体１１と蓋体１２が二つ折り状に折り重ね可能に連結部１３によって連結されており、装置本体１１と蓋体１２とを折り重ねた状態でモニタ２とキーボード３が対向するように閉じられるようになっている。
そして、装置本体１１に対して蓋体１２を回動させて、所望する角度まで蓋体１２を起こすことで、モニタ２を視認しやすく、モニタ２における映像表示などを見やすい状態に調節可能になっている。
また、連結部１３は、例えば、ヒンジ構造を有しており、連結部１３の軸線（ここでは装置本体１１と蓋体１２との接線方向）を中心に、装置本体１１と蓋体１２を回動可能に連結している。
【００１６】
ディスクドライブ１は、ＤＶＤを回転させるターンテーブル（図示省略）や、ＤＶＤに記録されているデータを読み取る光ピックアップ（図示省略）等を備えており、データを読み取って再生した映像信号や音声信号を制御部６に出力する。
なお、ディスクドライブ１の構成や動作は従来公知のものと同様であるので、ここでは詳述しない。
【００１７】
モニタ２は、例えば、液晶表示パネルであって、ディスクドライブ１により再生された映像や、キーボード３やマウス４の操作に伴う各種画像を表示する。
【００１８】
ロック機構５は、連結部１３におけるヒンジの動きを規制し、装置本体１１に対する蓋体１２の回動を阻止するための機構部であり、例えば、ゴム材からなるブレーキパッドをヒンジに圧接したり、蓋体１２側から閂部材を突出させて装置本体１１側に形成された差込口に係入したりして、装置本体１１に対して蓋体１２を固定するようになっている。
【００１９】
このロック機構５は、ロック機構５を動作させるためのロック操作部であるロックレバー５ａを備えており、図３に示すように、ロックレバー５ａは、解除位置（○；丸印）とロック位置（Δ；三角印）とに切替可能になっている。
そして、ロックレバー５ａがロック位置に切り替えられることにより、ロック機構５が動作し、装置本体１１に対する蓋体１２の固定が行われることとなる。
【００２０】
そして、モニタ２における映像などの表示を視認しやすい配置とするように蓋体１２の角度を調節した後に、ロックレバー５ａをロック位置に切り替えて、ロック機構５を動作させることで、装置本体１１に対して蓋体１２を固定して、その蓋体１２の角度が変わらないように、所望した角度に保持することができる。
【００２１】
なお、ロック機構５は、２つのロックレバー５ａを有しており、図１に示すように、それぞれ連結部１３の両端に設けられている。
そして、それぞれのロックレバー５ａがロック位置に切り替えられることによって、ロック機構５はそれぞれの切り替えに伴うロック実行信号を制御部６に出力するようになっている。
【００２２】
制御部６は、各種の処理や制御を実行するＣＰＵ６ａと、各種の処理や制御を実行するためのプログラムや各種の処理や制御に要するデータが格納されたＲＯＭ６ｂと、各種データを格納して各種処理の作業領域となるＲＡＭ６ｃ等を備えている。
【００２３】
ＣＰＵ６ａは、キーボード３やマウス４を介して操作入力される操作信号等に応じて、ＲＯＭ６ｂに格納されているパソコン用の各種制御プログラムや各種データに従って装置各部の処理を集中制御し、その処理結果をＲＡＭ６ｃ内のワークエリアに格納するとともに、各種画像をモニタ２に表示する。
また、ＣＰＵ６ａは、ＲＯＭ６ｂに格納されているＤＶＤプレーヤ用の各種制御プログラムや各種データに従って装置各部の処理を集中制御し、ディスクドライブ１により再生された映像信号に基づく映像をモニタ２に表示したり、ディスクドライブ１により再生された音声信号に基づく音声を図示しないスピーカから出力したりする。つまり、ＣＰＵ６ａ（制御部６）は、再生部としての一部の機能を有している。
ＲＯＭ６ｂには、ノート型パソコン１０の制御プログラムや制御データ、各種画面の表示や表示切替に関するデータなどが格納されて記憶されている。また、ＲＯＭ６ｂには、ノート型パソコン１０をＤＶＤプレーヤとして用いる際のＤＶＤプレーヤ用の制御プログラムや制御データが記憶されている。
ＲＡＭ６ｃには、種々のワークメモリやカウンタなどが設けられており、入力されたり検出されたりしたデータの処理中のワークエリアとして使用される。
【００２４】
そして、制御部６は、２つのロックレバー５ａがロック位置に切り替えられたことにより、ロック機構５から２つのロック実行信号が入力されたことに伴い、ディスクドライブ１の操作、つまり、ＤＶＤ再生操作に関する入力のみを受け付けるように、ノート型パソコン１０における操作入力制限を実行する操作入力制御手段として機能する。
具体的には、操作入力制御手段としての制御部６は、ロック機構５から２つのロック実行信号が入力されたことを検知すると、キーボード３においてＤＶＤ再生操作（例えば、再生操作、早送り操作、一時停止操作など）に割り当てられている所定のキー（例えば、テンキー、スペースキー、上下左右キーなど）以外のキーやマウス４が操作されても、それらの操作による入力は受け付けず、ＤＶＤ再生に関する操作入力のみを受け付ける制御を実行する。
【００２５】
次に、本発明に係るノート型パソコン１０において、ロック機構５による蓋体１２の固定を行う場合の処理動作について、図４に示すフローチャートに基づき説明する。
【００２６】
まず、所定の電源がオンされたことに伴い、ノート型パソコン１０が起動する（ステップＳ１０１）。
そして、制御部６は、ディスクドライブ１においてＤＶＤが再生されているか否かを判断する（ステップＳ１０２）。
制御部６が、ディスクドライブ１においてＤＶＤは再生されていないと判断すると（ステップＳ１０２；Ｎｏ）、ステップＳ１０７へ進む。
【００２７】
一方、制御部６が、ディスクドライブ１においてＤＶＤが再生されていると判断すると（ステップＳ１０２；Ｙｅｓ）、ノート型パソコン１０においてＤＶＤ再生処理を実行しつつ、制御部６は、ロック機構５からのロック実行信号が入力されたか否かを判断する（ステップＳ１０３）。
制御部６が、ロック機構５からのロック実行信号は入力されていないと判断すると（ステップＳ１０３；Ｎｏ）、ステップＳ１０２に戻る。
一方、制御部６が、ロック実行信号を検知すると（ステップＳ１０３；Ｙｅｓ）、制御部６は、２つのロック実行信号を検出したか否かを判断する（ステップＳ１０４）。
【００２８】
なお、制御部６が、一方のロックレバー５ａの操作に伴う１つのロック実行信号を検知した状態（ステップＳ１０３）は、ノート型パソコン１０において、一方のロックレバー５ａの操作によって装置本体１１に対する蓋体１２の固定のみが行われ、操作入力制御手段としての制御部６による操作入力制限は行われていない状態である。
つまり、ノート型パソコン１０においてモニタ２に表示される映像を見やすい角度に蓋体１２が調節されて固定されているものの、ノート型パソコン１０におけるキーボード３やマウス４による各種操作入力を行うことが可能な状態となっている。
【００２９】
ステップＳ１０４において、制御部６が、２つのロック実行信号を検出したと判断すると（ステップＳ１０４；Ｙｅｓ）、制御部６は、ＤＶＤ再生操作に関する入力のみを受け付ける操作入力制限を実行し（ステップＳ１０５）、ステップＳ１０２に戻る。
【００３０】
なお、制御部６が、両方のロックレバー５ａの操作に伴う２つのロック実行信号を検出した状態（ステップＳ１０４）は、ノート型パソコン１０において、両方のロックレバー５ａの操作によって装置本体１１に対する蓋体１２の固定が行われるとともに、操作入力制御手段としての制御部６による操作入力制限が実行されるべき状態（ステップＳ１０５の直前）である。
そして、制御部６により操作入力制限が実行された状態（ステップＳ１０５）では、ノート型パソコン１０においてモニタ２に表示される映像を見やすい角度に蓋体１２が調節されて固定されているとともに、ノート型パソコン１０においてＤＶＤ再生に関する操作入力のみを行うことが可能な状態となっている。
【００３１】
つまり、ノート型パソコン１０において、２つのロックレバー５ａを操作して蓋体１２の角度を固定した際には、ユーザが誤ってキーボード３やマウス４に触れて、何らかの操作が行われてしまったような場合でも、ＤＶＤ再生に関する操作入力以外の操作は無視されたり拒否されたりすることとなって、ＤＶＤの再生処理や、再生された映像の表示処理が安定した状態で行われることとなる。
具体的には、ノート型パソコン１０においてＤＶＤを再生して、その映像を鑑賞している最中に、ユーザが誤ってキーボード３やマウス４に触れてしまっても、ＤＶＤ再生に関する操作以外の誤操作が行われることがないので、例えば、モニタ２におけるＤＶＤ再生映像画面がパソコン用画面に切り替わってしまったり、映像画面上にウインドウ画面が重ねて表示されてしまったりすることがなく、快適にＤＶＤ映像を鑑賞することができる。
【００３２】
一方、制御部６が、２つのロック実行信号を検出せず、検知したロック実行信号が１つであった場合、ステップＳ１０２に戻る。
なお、この際、既に操作入力制限が実行されている場合には、その操作入力制限を解除して（ステップＳ１０６）、ステップＳ１０２に戻る。
【００３３】
ステップＳ１０７において、制御部６は、ノート型パソコン１０において通常のパソコン処理を実行する（ステップＳ１０７）。
そして、所定の電源がオフされると（ステップＳ１０８；Ｙｅｓ）、ノート型パソコン１０は各種動作を終了して停止する。
一方、電源オフされなければ（ステップＳ１０８；Ｎｏ）、ステップＳ１０２に戻る。
【００３４】
このように、本発明に係るノート型パソコン１０において、ディスクドライブ１でＤＶＤを再生して、そのＤＶＤ映像をモニタ２に表示して鑑賞する際に、ロックレバー５ａをロック位置に切り替えてロック機構５を動作させることで、装置本体１１に対して蓋体１２を固定することができるので、モニタ２における映像表示を視認しやすい角度に蓋体１２を調節した状態を維持して、その映像表示を鑑賞することができる。
特に、ノート型パソコン１０のロック機構５における２つのロックレバー５ａをロック操作することによって、ＤＶＤ再生操作に関する入力のみを受け付けるように、ノート型パソコン１０における操作入力制限が実行されるため、このノート型パソコン１０においてＤＶＤを再生して映像を鑑賞している際に、ユーザが誤ってキーボード３やマウス４に触れてしまうことがあっても、ＤＶＤ再生に関する操作以外の操作であって画面表示が切り替わってしまうような誤操作が行われることがないので、ユーザは快適にＤＶＤ映像の鑑賞を行うことができる。
従って、このノート型パソコン１０は、再生される映像を好適に鑑賞することができる電子機器及び映像再生装置であるといえる。
【００３５】
なお、本発明は上記実施形態に限られるものではない。
例えば、図５に示すように、ロック操作部としてのロックスイッチ５０ａと、ロックスイッチ５０ａのオン／オフを検知するロックセンサ５０ｂと、ロックスイッチ５０ａのオン／オフ検知に伴い移動するロックギア５０ｃと、ロックギア５０ｃと歯合するロック受け部５０ｄと、を備えるロック機構５０が設けられたノート型パソコン１００であってもよい。
なお、ロックスイッチ５０ａ、ロックセンサ５０ｂ、ロックギア５０ｃは、ノート型パソコン１００の蓋体１０２側に設けられ、ロック受け部５０ｄは、ノート型パソコン１００の装置本体１０１側に設けられている。
そして、モニタ２における映像などの表示を視認しやすい配置とするように蓋体１０２の角度を調節した後に、ロックスイッチ５０ａをオンすると、ロック機構５０が動作し、ロックセンサ５０ｂが検知したロック実行信号に基づき、制御部６がロックギア５０ｃを下降させてロック受け部５０ｄに歯合させることで、装置本体１０１に対する蓋体１０２の固定が行われるようになっている。
また、ロックスイッチ５０ａをオフすると、制御部６がロックギア５０ｃを上昇させてロック受け部５０ｄから離間させることで、ロック解除するようになっている。
このようなロック機構５０を備えるノート型パソコン１００であっても、再生される映像を好適に鑑賞することができる。
【００３６】
なお、以上の実施の形態においては、ノート型パソコン１０におけるＤＶＤ再生に関する操作入力制限について説明したが、本発明はこれに限定されるものではなく、例えば、テレビ一体型ノートパソコンにおけるテレビ鑑賞時に、テレビの操作以外の操作入力制限を行うように、本発明を適用してもよい。
【００３７】
また、以上の実施の形態においては、電子機器及び映像再生装置としてノート型パソコン１０を例示して説明したが、本発明はこれに限定されるものではなく、例えば、ポータブルＤＶＤプレーヤなどに、本発明を適用するようにしてもよい。
【００３８】
また、以上の実施の形態においては、ロック機構５の２つのロックレバー５ａがロック操作された場合に、制御部６による操作入力制限を実行するとしたが、本発明はこれに限定されるものではなく、一方のロックレバー５ａがロック操作された場合に操作入力制限を実行するようにしてもよい。また、その場合、ロック機構５のロックレバー５ａは１つであってもよい。
【００３９】
また、その他、具体的な細部構造等についても適宜に変更可能であることは勿論である。
【図面の簡単な説明】
【００４０】
【図１】本発明に係るノート型パソコンを示す斜視図である。
【図２】本発明に係るノート型パソコンの要部構成を示すブロック図である。
【図３】ロック機構のロックレバーを示す拡大図である。
【図４】ノート型パソコンにおけるロック機構により蓋体の固定を行う場合の処理動作を示すフローチャートである。
【図５】ノート型パソコンにおけるロック機構の変形例を透視して示す説明図である。
【符号の説明】
【００４１】
１      ディスクドライブ（再生部）
２      モニタ（表示部）
３      キーボード
４      マウス
５      ロック機構
５ａ    ロックレバー（ロック操作部）
５０    ロック機構
５０ａ  ロックスイッチ（ロック操作部）
６      制御部（操作入力制御手段、再生部）
１０    ノート型パソコン（電子機器、映像再生装置）
１１    装置本体
１２    蓋体
１３    連結部
【図１】
2008198056.tif 000003
【図２】
2008198056.tif 000004
【図３】
2008198056.tif 000005
【図４】
2008198056.tif 000006
【図５】
2008198056.tif 000007